(57)【要約】【課題】犯罪者を特定して確実に逮捕に至ることができ、その結果犯罪抑止効果をも発揮できるようにする。【解決手段】この発明の監視システムは、移動体に装着されたカメラ装置１と、そのカメラ装置１とは通信網を介して接続されている監視センタ側サーバ２とからなり、カメラ装置１は、被写体を撮影するカメラ１２と、カメラ１２が撮影した被写体の画像情報を順次記憶する画像情報記憶部１３と、各画像に人間の顔が映っているか否かを判別する顔判別手段１４と、顔判別手段１４により人間の顔が映っていると判別された画像の顔入り画像情報を監視センタ側サーバ２に送信する送信手段１５とを有し、監視センタ側サーバ２は、カメラ装置１から送信された顔入り画像情報を順次記憶する顔入り画像情報記憶部２１と、カメラ装置１から送信された顔入り画像情報の画像の画面表示を行う画面表示手段２２とを有する。【選択図】図１
2008109183.tif 000002
【特許請求の範囲】
【請求項１】
移動体に装着されたカメラ装置と、そのカメラ装置とは通信網を介して接続されている監視センタ側サーバとからなる監視システムにおいて、
上記カメラ装置は、
被写体を撮影するカメラと、
上記カメラが撮影した被写体の画像情報を順次記憶する画像情報記憶部と、
上記画像情報記憶部の各画像に人間の顔が映っているか否かを判別する顔判別手段と、
上記顔判別手段により人間の顔が映っていると判別された画像の顔入り画像情報を監視センタ側サーバに送信する送信手段と、を有し、
上記監視センタ側サーバは、
上記カメラ装置から送信された顔入り画像情報を順次記憶する顔入り画像情報記憶部と、
上記カメラ装置から送信された顔入り画像情報の画像の画面表示を行う画面表示手段と、を有することを特徴とする監視システム。
【請求項２】
上記カメラ装置は加速度センサを備え、上記カメラは、加速度センサが作動した時点でオン状態となり、加速度センサの作動停止後にオフ状態となる、請求項１に記載の監視システム。
【請求項３】
上記カメラ装置は、上記顔判別手段によって人間の顔が映っていると判別した画像に対してさらにその顔が所定サイズ以上であるか否かを判別する顔サイズ判別手段を有し、
上記送信手段は、所定サイズ以上の顔が映っている画像の顔入り画像情報を監視センタ側サーバに送信する、請求項１または２に記載の監視システム。
【請求項４】
上記カメラ装置はＧＰＳ装置を備え、上記送信手段は顔入り画像情報とともにＧＰＳ装置が測定した移動体の位置情報を監視センタ側サーバに送信する、請求項１から３の何れか１項に記載の監視システム。
【請求項５】
上記監視センタ側サーバは、該当する顧客側端末に顔入り画像情報を送信する、請求項１から４の何れか１項に記載の監視システム。
【請求項６】
上記監視センタ側サーバは、カメラ装置の電源を遠隔地から強制的にオン状態とする電源操作手段を備える、請求項１から５の何れか１項に記載の監視システム。
【発明の詳細な説明】
【技術分野】
【０００１】
この発明は、移動体に装着されたカメラ装置と、そのカメラ装置とは通信網を介して接続されている監視センタ側サーバとからなる監視システムに関するものである。
【背景技術】
【０００２】
近年、子供達を犯罪から守るために、例えば子供に防犯ブザーやＧＰＳ機能付き携帯電話を持たせるようにしている（下記の特許文献１，２参照）。
【特許文献１】特開２００５−２２８１８６号公報
【特許文献２】特開２００４−２３７０９号公報
【０００３】
しかし、防犯ブザーの場合、本人が防犯ブザーのスイッチを入れるという機械操作が必要で、身に危険が生じたとの本人の認識が無い場合（例：言葉巧みに騙された場合）には操作されないため作動しない。また、身に現実の危険が生じた場合には、動揺などにより機械操作そのものができない可能性がある。さらに、防犯ブザーが鳴っても周囲に人が居ない状況では助けを期待できない場合も考えられる。
【０００４】
また、ＧＰＳ機能付き携帯電話の場合、本人の所在地は確認できるものの、犯罪者がその携帯電話を遺棄・破壊すると、その後の手がかりは残せなくなる。
【０００５】
このように、従来の防犯に対する備えは、必ずしも十分なものとは言えず、したがって、犯罪者を特定して確実に逮捕に至ることができず、その結果犯罪抑止効果を発揮するのも困難であった。
【発明の開示】
【発明が解決しようとする課題】
【０００６】
この発明は上記に鑑み提案されたもので、犯罪者を特定して確実に逮捕に至ることができ、その結果犯罪抑止効果を発揮することができる監視システムを提供することを目的とする。
【課題を解決するための手段】
【０００７】
上記目的を達成するために、請求項１に記載の発明は、移動体に装着されたカメラ装置と、そのカメラ装置とは通信網を介して接続されている監視センタ側サーバとからなる監視システムにおいて、上記カメラ装置は、被写体を撮影するカメラと、上記カメラが撮影した被写体の画像情報を順次記憶する画像情報記憶部と、上記画像情報記憶部の各画像に人間の顔が映っているか否かを判別する顔判別手段と、上記顔判別手段により人間の顔が映っていると判別された画像の顔入り画像情報を監視センタ側サーバに送信する送信手段と、を有し、上記監視センタ側サーバは、上記カメラ装置から送信された顔入り画像情報を順次記憶する顔入り画像情報記憶部と、上記カメラ装置から送信された顔入り画像情報の画像の画面表示を行う画面表示手段と、を有することを特徴としている。
【０００８】
請求項２に記載の発明は、上記した請求項１に記載の発明において、上記カメラ装置は加速度センサを備え、上記カメラは、加速度センサが作動した時点でオン状態となり、加速度センサの作動停止後にオフ状態となるものである。
【０００９】
請求項３に記載の発明は、上記した請求項１または２に記載の発明において、上記カメラ装置は、上記顔判別手段によって人間の顔が映っていると判別した画像に対してさらにその顔が所定サイズ以上であるか否かを判別する顔サイズ判別手段を有し、上記送信手段は、所定サイズ以上の顔が映っている画像の顔入り画像情報を監視センタ側サーバに送信するものである。
【００１０】
請求項４に記載の発明は、上記した請求項１から３の何れか１項に記載の発明において、上記カメラ装置はＧＰＳ装置を備え、上記送信手段は顔入り画像情報とともにＧＰＳ装置が測定した移動体の位置情報を監視センタ側サーバに送信するものである。
【００１１】
請求項５に記載の発明は、上記した請求項１から４の何れか１項に記載の発明において、上記監視センタ側サーバは、該当する顧客側端末に顔入り画像情報を送信するものである。
【００１２】
また、請求項６に記載の発明は、上記した請求項１から５の何れか１項に記載の発明において、上記監視センタ側サーバは、カメラ装置の電源を遠隔地から強制的にオン状態とする電源操作手段を備えるものである。
【発明の効果】
【００１３】
この発明では、移動体（例えば小学生）に装着されたカメラが被写体を撮影するとともに、その画像に人間の顔が映っている場合には、その顔入り画像情報を監視センタ側に送り監視センタ側で画面表示を行うようにしたので、犯罪者が小学生に接近しようとすると、その顔が映った画像が監視センタ側で監視されることとなる。したがって、犯罪者を特定して確実に逮捕に至ることができ、その結果犯罪者は小学生に近づけなくなり、犯罪抑止効果を発揮することができる。
【００１４】
また、加速度センサが作動した時点でカメラをオン状態とし、作動停止後にオフ状態となるようにしたので、カメラによる撮影は常時行われるわけではなく、的確なタイミングで行われるとともに、電力消費も最小限に留めることができる。
【００１５】
また、人間の顔が映っている場合でも、その顔が所定サイズ以上ででなければ監視センタ側に送信しないので、監視センタ側に転送するデータ量を少なくして監視センタ側の負担を軽減することができる。
【００１６】
また、カメラ装置はＧＰＳ装置を備え、顔入り画像情報とともに移動体の位置情報を監視センタ側に送信するようにしたので、移動体の所在地も把握することができ、発生している事態に対して的確に迅速に対応することができる。
【００１７】
また、監視センタ側サーバが、該当する顧客側端末に顔入り画像情報を送信するようにしたので、顧客は自宅の端末で、例えば子供の登下校時の状況を見守ることができ、異常時には直ちに対応することができる。
【００１８】
さらに、監視センタ側サーバは、カメラ装置の電源を遠隔地から強制的にオン状態とすることができるので、犯人が強制的にカメラ装置の電源をオフにしても、監視センタ側から強制的に電源をオンにして、それまでにメモリに記憶されている画像情報を取り出し、監視センタ側で受け取ることが出来るようになる。
【発明を実施するための最良の形態】
【００１９】
以下にこの発明の実施形態を図面に基づいて詳細に説明する。
【００２０】
図１はこの発明の監視システムの第１の実施形態におけるブロック構成図である。図において、この発明の監視システムは、移動体に装着されたカメラ装置１と、そのカメラ装置１とは、インターネット等の通信網を介して接続されている監視センタ側サーバ２とからなる。このカメラ装置１は、例えば図２（ａ）に示すように、移動体としての小学生９が登下校時に背負うランドセル８の背負いひも８ａに前向きに取り付けられる。そして、カメラ装置１は、図２（ｂ）に示すように、小学生９の前方から襲いかかる犯罪者６の映像を自動的に捉えるようになっている。
【００２１】
カメラ装置１は、被写体を撮影するカメラ１２と、カメラ１２が撮影した被写体の画像情報を順次記憶する画像情報記憶部１３と、画像情報記憶部１３の各画像に人間の顔が映っているか否かを判別する顔判別手段１４と、顔判別手段１４により人間の顔が映っていると判別された画像の顔入り画像情報を監視センタ側サーバ２に送信する送信手段１５と、を有している。顔入り画像情報は、カメラ装置１の識別情報とともに監視センタ側サーバ２に送信される。
【００２２】
上記の顔判別手段１４は、例えば顔を写したとき顔には様々な明暗差があるのでその明暗差を捉えて顔であると判別するようになっている。
【００２３】
また、カメラ装置１は加速度センサ１１を備え、加速度センサ１１が作動すると、その作動信号はカメラ１２の電源部１２０をオン状態とし、その後加速度センサ１１からの作動信号が所定時間に渡って発生しないとき、すなわち加速度センサ１１の作動停止後に電源部１２０をオフ状態とする。この加速度センサ１１は、例えばピエゾ抵抗型３軸加速度センサである。
【００２４】
カメラ装置１はオン状態のとき、所定の時間間隔、例えば１秒毎に被写体を撮影し、その画像は画像情報記憶部１３に時系列的に記憶され、記憶容量を超えるときは古いものから消去されていく。なお、カメラ装置１は、所定の時間間隔で被写体を撮影するが、人間の顔が映っていると判別された後は、この時間間隔をより短くして、例えば１秒間隔であったものを０．５秒間隔と変化させるようにしてもよい。
【００２５】
カメラ装置１の画像情報記憶部１３は、ＳＤカードやハードディスク等の大容量記憶装置からなり、また顔判別手段１４および送信手段１５は、ＣＰＵがＲＡＭのプログラムに従って実行するソフトウェアの機能を含めて構成されている。
【００２６】
一方、監視センタ側サーバ２は、カメラ装置１から送信された顔入り画像情報を順次記憶する顔入り画像情報記憶部２１と、カメラ装置１から送信された顔入り画像情報の画像の画面表示を、例えばパソコン画面２４で行う画面表示手段２２と、を有している。
【００２７】
監視センタ側サーバ２は、カメラ装置１から顔入り画像情報が送られてくると、先ず同時に送られてくるカメラ装置１の識別情報の認証を行う。その認証結果が正常であれば、送られてきた顔入り画像情報を、顔入り画像情報記憶部２１の中に設けられた、その識別情報に対応する顧客のファイル領域に順次記憶する。そして、インターネット等の所定の通信網を経由して、顧客側端末３、例えば顧客側のパソコンや携帯電話に顔入り画像情報を送信する。あるいは、顧客が任意に監視センタ側サーバ２にアクセスし、その監視センタ側サーバ２に蓄積されている顔入り画像情報を閲覧するようにしてもよい。
【００２８】
監視センタ側サーバ２の顔入り画像情報記憶部２１は、ハードディスク等の大容量記憶装置からなり、また画面表示手段２２および送信手段２３は、ＣＰＵがＲＡＭのプログラムに従って実行するソフトウェアの機能を含めて構成されている。
【００２９】
このように、この発明では、移動体（例えば小学生９）に装着されたカメラ１２が被写体を撮影するとともに、その画像に人間の顔が映っている場合には、その顔入り画像情報を監視センタ側サーバ２に送り監視センタ側で画面表示を行うようにしたので、犯罪者が小学生９に接近しようとすると、その顔が映った画像が監視センタ側で監視されることとなる。したがって、犯罪者を特定して確実に逮捕に至ることができ、その結果犯罪者は小学生９に近づけなくなり、犯罪抑止効果を発揮し、犯罪を未然に防止することもできる。
【００３０】
また、加速度センサ１１が作動した時点でカメラ１２をオン状態とし、作動停止後にオフ状態となるようにしたので、カメラ１２による撮影は常時行われるわけではなく、的確なタイミングで必要なときのみ行われ、電力消費も最小限に留めることができる。したがって、バッテリを小型化することができ、カメラ装置１全体も小型化することができる。
【００３１】
また、監視センタ側サーバ２が、該当する顧客側端末に顔入り画像情報を送信するようにしたので、顧客は自宅の端末３で、子供の登下校時の状況を見守ることができ、安心できるとともに、異常時には直ちに対応することができ、犯人逮捕に結びつけることができる。
【００３２】
次に、この発明の第２の実施形態を図３を用いて説明する。図３はこの発明の監視システムの第２の実施形態におけるブロック構成図である。この第２の実施形態において、上記第１の実施形態と同一の構成要素には同一の符号を付してその説明を省略する。
【００３３】
この第２の実施形態が上記の第１の実施形態と相違する点は、カメラ装置１にＧＰＳ装置１６を設け、また顔サイズ判別手段１７を設けた点、および監視センタ側サーバ２に電源操作手段２５を設けた点である。以下、この相違点について説明する。
【００３４】
カメラ装置１のＧＰＳ装置１６は、移動体の位置情報を検出し、その位置情報は送信手段１５によって、顔入り画像情報とともに監視センタ側サーバ２に送信される。
【００３５】
また、カメラ装置１の顔サイズ判別手段１７は、顔判別手段１４によって人間の顔が映っていると判別した画像に対してさらにその顔が所定サイズ以上であるか否かを判別する。そして、送信手段１５は、所定サイズ以上の顔が映っている画像の顔入り画像情報を、移動体の位置情報とともに監視センタ側サーバ２に送信する。なお、この顔サイズ判別手段１７は、ＣＰＵがＲＡＭのプログラムに従って実行するソフトウェアの機能を含めて構成されている。
【００３６】
また、監視センタ側サーバ２の電源操作手段２５は、カメラ装置１のカメラ１２の電源部１２０を遠隔地から強制的にオン状態とするものである。
【００３７】
このように、この発明の第２の実施形態では、カメラ装置１にＧＰＳ装置１６を備え、顔入り画像情報とともに移動体の位置情報を監視センタ側に送信するようにしたので、移動体の所在地も同時に把握することができ、発生している事態に対して的確に迅速に対応することができる。
【００３８】
また、カメラ装置１に顔サイズ判別手段１７を設け、人間の顔が映っている場合でも、その顔が所定サイズ以上ででなければ監視センタ側に送信しないようにしたので、監視センタ側に転送するデータ量を少なくして監視センタ側の負担を軽減することができる。
【００３９】
さらに、監視センタ側サーバ２に電源操作手段２５を設け、カメラ１２の電源部１２０を遠隔地から強制的にオン状態とすることができるので、犯人が強制的にカメラ装置１の電源をオフにしても、監視センタ側から強制的に電源をオンにして、それまでにメモリに記憶されている画像情報を取り出し、監視センタ側で受け取ることが出来るようになる。
【００４０】
なお、上記の説明では、カメラ装置１は、所定の時間間隔で撮影した画像を静止画として記憶し送信するようにしたが、連続的に撮影して動画として記憶し送信するようにしてもよい。動画から、より詳細できめ細かい情報を得ることができ、その動画を見て監視することで犯罪者をより一層確実に速やかに特定できるようになる。
【図面の簡単な説明】
【００４１】
【図１】この発明の監視システムの第１の実施形態におけるブロック構成図である。
【図２】小学生がカメラ装置を装着したときの説明図で、（ａ）は装着状況を示す図、（ｂ）はカメラ装置による犯罪者の撮影状況を示す図である。
【図３】この発明の監視システムの第２の実施形態におけるブロック構成図である。
【符号の説明】
【００４２】
１  カメラ装置
２  監視センタ側サーバ
３  顧客側端末
８  ランドセル
９  小学生
１１  加速度センサ
１２  カメラ
１３  画像情報記憶部
１４  顔判別手段
１５  送信手段
１６  ＧＰＳ装置
１７  顔サイズ判別手段
２１  画像情報記憶部
２２  画面表示手段
２３  送信手段
２４  パソコン画面
２５  電源操作手段
１２０  電源部
【図１】
2008109183.tif 000003
【図２】
2008109183.tif 000004
【図３】
2008109183.tif 000005